(57)【要約】【課題】集客率を向上させることができるようにする。【解決手段】最後に利用されてから所定の時間が経過したとき、画像印刷装置１のモードが、標準モードからサービスモードに移行される。サービスモード時においては、標準モードが設定されているときには利用できない機能が利用可能とされる。例えば、サービスモード時においては、標準モード時には利用できない、画像を編集するための編集ツールが用意されており、ユーザは、それを利用することができる。また、サービスモード時においては、編集済みの画像が印刷されたシール紙の他に、サービス画像が印刷されたシール紙が提供される。本発明は、写真シール自販機としての画像印刷装置に適用することができる。【選択図】　　　図１
2004023213.tif 000002
【特許請求の範囲】
【請求項１】
撮影した被写体の画像を所定の印刷媒体に印刷して提供する画像印刷装置において、
設けられている機能のうち、第１の機能が利用可能とされる第１のモード、または、前記第１の機能とともに、前記第１のモードが設定されているときには利用できない第２の機能が利用可能とされる第２のモードを、前記画像印刷装置のモードとして設定するモード設定手段と、
前記第１のモードから前記第２のモードに設定が移行する条件を設定するモード条件設定手段と
を備えることを特徴とする画像印刷装置。
【請求項２】
前記第２のモードが設定されることに応じて、前記第２のモードが設定されていることを表す情報を出力する出力手段をさらに備える
ことを特徴とする請求項１に記載の画像印刷装置。
【請求項３】
前記モード条件設定手段は、時間帯に応じて、前記第１のモードから前記第２のモードに設定が移行されるまでの時間を設定する
ことを特徴とする請求項１または２に記載の画像印刷装置。
【請求項４】
前記第２のモードが設定されているときに前記画像印刷装置を利用したユーザに対して、次の利用の際に、前記第２のモードが設定されているときと同様の機能を利用できるようにする所定の情報を提供する提供手段をさらに備える
ことを特徴とする請求項１，２または３に記載の画像印刷装置。
【請求項５】
前記提供手段により提供される前記情報は、所定の媒体に記憶されて提供される
ことを特徴とする請求項４に記載の画像印刷装置。
【請求項６】
前記提供手段により提供された前記情報を取得する取得手段をさらに備え、
前記取得手段により前記情報が取得されたとき、前記モード設定手段は、前記第２のモードを設定する
ことを特徴とする請求項４または５に記載の画像印刷装置。
【請求項７】
前記取得手段により前記情報が取得されたとき、または、前記第２のモードが設定されているとき、抽選を実行する実行手段と、
前記実行手段により実行された前記抽選の結果が当選であるとき、前記印刷媒体と、所定の画像が印刷された他の印刷媒体を提供する印刷媒体提供手段と
をさらに備えることを特徴とする請求項６に記載の画像印刷装置。
【請求項８】
撮影した被写体の画像を所定の印刷媒体に印刷して提供する画像印刷装置の画像印刷方法において、
設けられている機能のうち、第１の機能が利用可能とされる第１のモード、または、前記第１の機能とともに、前記第１のモードが設定されているときには利用できない第２の機能が利用可能とされる第２のモードを、前記画像印刷装置のモードとして設定するモード設定ステップと、
前記第１のモードから前記第２のモードに設定が移行する条件を設定するモード条件設定ステップと
を含むことを特徴とする画像印刷方法。
【請求項９】
撮影した被写体の画像を所定の印刷媒体に印刷して提供する画像印刷装置の画像印刷方法であって、
設けられている機能のうち、第１の機能が利用可能とされる第１のモード、または、前記第１の機能とともに、前記第１のモードが設定されているときには利用できない第２の機能が利用可能とされる第２のモードを、前記画像印刷装置のモードとして設定するモード設定ステップと、
前記第１のモードから前記第２のモードに設定が移行する条件を設定するモード条件設定ステップと
を含む画像印刷方法により印刷されることを特徴とする印刷媒体。
【請求項１０】
撮影した被写体の画像を所定の印刷媒体に印刷して提供する画像印刷装置であって、
設けられている機能のうち、第１の機能が利用可能とされる第１のモード、または、前記第１の機能とともに、前記第１のモードが設定されているときには利用できない第２の機能が利用可能とされる第２のモードを、前記画像印刷装置のモードとして設定するモード設定手段と、
前記第１のモードから前記第２のモードに設定が移行する条件を設定するモード条件設定手段と
を有する画像印刷装置により使用される印刷媒体ユニットにおいて、
前記印刷媒体ユニットを識別するユニット識別情報を記憶する識別情報記憶手段を備え、
前記識別情報記憶手段により記憶されている前記ユニット識別情報が前記画像印刷装置により認証されたとき使用可能とされる
ことを特徴とする印刷媒体ユニット。
【発明の詳細な説明】
【０００１】
【発明の属する技術分野】
本発明は、特に、集客率を向上させることができるようにする画像印刷装置および方法、印刷媒体、並びに印刷媒体ユニットに関する。
【０００２】
【従来の技術】
従来、ユーザの画像を撮影し、これを予め用意されたフレーム画像と合成してシール紙などに印刷して提供する、いわゆる「プリント倶楽部（登録商標）」などの画像印刷装置が知られている。
【０００３】
この画像印刷装置の商品サイクルは数ヶ月と言われており、数ヶ月毎に、新しい機能が追加されるなどした新機種が市場に出回るのが一般的である。例えば、そのような短期間のサイクルで販売される新機種には、フレーム画像が新しいものに変更されるだけでなく、撮影した画像を編集する（落書きする）ための編集ツールや撮影モードなどの新たに開発された機能が追加されたりしている。
【０００４】
このように、新しい機能が取り入れられた機種が数ヶ月毎に出回ることで、ユーザが画像印刷装置を利用することに飽きてしまうといったことを抑制することができる。
【０００５】
【発明が解決しようとする課題】
しかしながら、新機能が取り入れられた機種が順次登場する現状においては、ほとんどのユーザの目が新機種にのみ集中し、ほんの１，２ヶ月前までは好評であった機種でさえも、新機種の登場とともに利用者が激減してしまうという課題があった。
【０００６】
また、新機種であっても、ユーザの大半が高校生などの若年層に限定されているため、例えば、平日の昼間などの時間帯（授業が行われている時間帯）などは、ほとんど利用されず、上述したように、利用者の数が新機種にのみ偏るという現状における場合と同様に、新機種を設置したことに対する費用の回収が困難となる。
【０００７】
本発明はこのような状況に鑑みてなされたものであり、ユーザの利用意欲をかき立てるとともに、リピータの確保を可能とし、その結果、集客率を向上させることができるようにするものである。
【０００８】
【課題を解決するための手段】
本発明の画像印刷装置は、設けられている機能のうち、第１の機能が利用可能とされる第１のモード、または、第１の機能とともに、第１のモードが設定されているときには利用できない第２の機能が利用可能とされる第２のモードを、画像印刷装置のモードとして設定するモード設定手段と、第１のモードから第２のモードに設定が移行する条件を設定するモード条件設定手段とを備えることを特徴とする。
【０００９】
この画像印刷装置は、例えば、写真シール自販機として利用されるようにすることができる。
【００１０】
例えば、「機能」には、撮影に関する機能、撮影した画像の編集に関する機能、或いは、編集後の画像を印刷する印刷に関する機能が含まれる。
【００１１】
これにより、第２のモードが設定されている画像印刷装置の、ユーザの利用意欲をかき立てることができる。すなわち、集客率を向上させることができる。
【００１２】
第２のモードが設定されることに応じて、第２のモードが設定されていることを表す情報を出力する出力手段をさらに備えるようにすることができる。
【００１３】
例えば、第２のモードが設定されていることを表す情報として、それを表す画像の他に、音声や音楽が出力される。また、電光掲示板でその旨が出力されるようにしてもよいし、近傍にいる人の携帯通信端末にメールが送信されるようにしてもよい。
【００１４】
モード条件設定手段は、時間帯に応じて、第１のモードから第２のモードに設定が移行されるまでの時間を設定するようにすることができる。
【００１５】
また、単純に時間帯により、第１のモードのみ、または第２のモードのみというようにモードが設定されるようにしてもよい。
【００１６】
第２のモードが設定されているときに画像印刷装置を利用したユーザに対して、次の利用の際に、第２のモードが設定されているときと同様の機能を利用できるようにする所定の情報を提供する提供手段をさらに備えるようにすることができる。
【００１７】
これにより、リピータの確保が可能となる。
【００１８】
提供手段により提供される情報は、所定の媒体に記憶されて提供されるようにすることができる。
【００１９】
提供手段により提供された情報を取得する取得手段をさらに備え、取得手段により情報が取得されたとき、前記モード設定手段は、第２のモードを設定するようにすることができる。
【００２０】
取得手段により情報が取得されたとき、または、第２のモードが設定されているとき、抽選を実行する実行手段と、実行手段により実行された抽選の結果が当選であるとき、前記印刷媒体と、所定の画像が印刷された他の印刷媒体を提供する印刷媒体提供手段とをさらに備えるようにすることができる。
【００２１】
本発明の画像印刷装置の画像印刷方法は、設けられている機能のうち、第１の機能が利用可能とされる第１のモード、または、第１の機能とともに、第１のモードが設定されているときには利用できない第２の機能が利用可能とされる第２のモードを、画像印刷装置のモードとして設定するモード設定ステップと、第１のモードから第２のモードに設定が移行する条件を設定するモード条件設定ステップとを含むことを特徴とする。
【００２２】
本発明の画像印刷装置および方法においては、設けられている機能のうち、第１の機能が利用可能とされる第１のモード、または、第１の機能とともに、第１のモードが設定されているときには利用できない第２の機能が利用可能とされる第２のモードが、画像印刷装置のモードとして設定され、第１のモードから第２のモードに設定が移行する条件が設定される。
【００２３】
本発明の印刷媒体は、撮影した被写体の画像を所定の印刷媒体に印刷して提供する画像印刷装置の画像印刷方法であって、設けられている機能のうち、第１の機能が利用可能とされる第１のモード、または、第１の機能とともに、第１のモードが設定されているときには利用できない第２の機能が利用可能とされる第２のモードを、画像印刷装置のモードとして設定するモード設定ステップと、第１のモードから第２のモードに設定が移行する条件を設定するモード条件設定ステップとを含む画像印刷方法により印刷されることを特徴とする。
【００２４】
本発明の印刷媒体ユニットは、撮影した被写体の画像を所定の印刷媒体に印刷して提供する画像印刷装置であって、設けられている機能のうち、第１の機能が利用可能とされる第１のモード、または、第１の機能とともに、第１のモードが設定されているときには利用できない第２の機能が利用可能とされる第２のモードを、画像印刷装置のモードとして設定するモード設定手段と、第１のモードから第２のモードに設定が移行する条件を設定するモード条件設定手段とを有する画像印刷装置により使用される印刷媒体ユニットにおいて、印刷媒体ユニットを識別するユニット識別情報を記憶する識別情報記憶手段を備え、識別情報記憶手段により記憶されているユニット識別情報が画像印刷装置により認証されたとき使用可能とされることを特徴とする
【００２５】
識別情報記憶手段は、例えば、ＩＣタグ（制御タグ）、ＩＣカード等のメモリにより構成され、ユニット識別情報としての固有のＩＤを記憶する。
【００２６】
このように、識別情報が認証されたときにのみ印刷媒体ユニットが使用可能とされることにより、本発明の画像印刷装置に対して生産されたユニットのみが使用可能となり、いわゆる純正品以外のものが使用されることを抑制することができる。また、印刷媒体ユニットにバーコードなどが付されている場合、そのバーコードにより、純正品であるか否かを判断させるようにしてもよい。
【００２７】
【発明の実施の形態】
図１は、本発明を適用した、写真シール自販機としての画像印刷装置１の構成例を示す斜視図である。
【００２８】
筐体１１の上方の垂直な面１１ａには撮影装置１２が設けられている。撮影装置１２は、面１１ａに上下方向に配設されているレール（図示せず）に従って、上下方向に移動可能とされている。すなわち、被写体であるユーザは、撮影装置１２を上下方向に移動させて、好みの角度で撮影することができる。
【００２９】
撮影装置１２は、被写体を撮影するためのＣＣＤ（Ｃｈａｒｇｅ　Ｃｏｕｐｌｅｄ　Ｄｅｖｉｃｅ）１３と、ＣＣＤ１３により取り込まれている画像（動画像）を表示する画像表示部１４により構成されている。画像表示部１４がＣＣＤ１３の近傍に設けられているため、ユーザは、ＣＣＤ１３に視線を向けた状態で、画像表示部１４に表示される自分自身の画像を確認しながら、撮影を行うことができる。
【００３０】
撮影装置１２の左右には、フラッシュ照射部１５−１および１５−２が設けられており、フラッシュ照射部１５−１および１５−２は、筐体１１の内部に設けられている照明装置からのフラッシュ光を透過し、被写体を照射する。
【００３１】
筐体１１の、若干上方を向いている面１１ｂの中央には、ＬＣＤ（Ｌｉｑｕｉｄ　ＣｒｙｓｔａｌＤｉｓｐｌａｙ）またはＣＲＴ（Ｃａｔｈｏｄｅ−Ｒａｙ　Ｔｕｄｅ）により構成される表示部１６が設けられている。表示部１６には、撮影した画像の他に、撮影処理や印刷処理の行程に応じて、様々な選択ボタン、或いはメッセージなどが配置された画面が表示され、ユーザは、表示部１６の近傍に設けられる入力ペン１７−１または１７−２（以下、入力ペン１７−１および１７−２を個々に区別する必要がない場合、まとめて単に入力ペン１７と称する）を利用して、撮影処理や編集処理を行う（シール紙を取得するまでの各行程を進行させる）。
【００３２】
筐体１１の左側面１１ｄには、硬貨投入口１８が設けられている。ユーザは、画像印刷装置１を利用して撮影するとき、所定の代金を硬貨投入口１８に投入する。また、面１１ｄには、シール取出口１９が設けられており、そこから、編集が施された画像がそれぞれ所定の大きさで、所定の位置に印刷されたシール紙が排出される。
【００３３】
面１１ｃには、磁気カード排出／挿入口２０が設けられている。画像印刷装置１においては、例えば、後述する特殊モード（サービスモード）が設定されているときに画像印刷装置１を利用したユーザに対して、所定の識別番号などが印刷、または記憶された磁気カードが発行されるようになされており、その磁気カードが磁気カード排出／挿入口２０から排出される。また、発行された磁気カードを有しているユーザは、画像印刷装置１を利用するとき、自分の磁気カードを磁気カード排出／挿入口２０に挿入し、シール紙を得るまでの各行程を進行させる。
【００３４】
以上のような外観構成を有する画像印刷装置１には、撮影処理や編集処理などにおいて利用できる各種の機能が設けられているが、ユーザに提供される機能（ユーザが利用可能な機能）は、例えば、代金を入金したときなどの、ユーザが画像印刷装置１の利用を開始したときに設定されているモードに応じて異なるものとされる。
【００３５】
例えば、画像印刷装置１の状態を表すモードとして、標準の機能（デフォルトの機能）が利用可能とされる標準モードと、標準モードにおいては利用できない、特殊な機能が利用可能とされる特殊モードが用意されている。
【００３６】
後に詳述するように、例えば、特殊モードにおいては、標準モードが設定されているときには利用できない編集ツール（撮影した画像に施す編集の機能）や、標準モードが設定されているときには選択できない分割数（印刷パターン）により画像をシール紙に印刷させたりすることができる（印刷機能を利用することができる）。
【００３７】
すなわち、標準モードが設定されているときに提供されるサービスより、特殊モードが設定されているときに提供されるサービスの方が、ユーザにとって、より付加価値のあるものとされる。
【００３８】
上述した特殊モードは、所定の時間、いずれのユーザにも利用されないときに標準モードから移行され、例えば、画像印刷装置１を利用する人の数が少ない、平日の昼間などの時間帯は、夕方の時間帯に較べて、短い時間で移行されるように設定される。具体的には、平日の夕方の時間帯においては、３０分間だけ利用者がいない時間が続いたとき標準モードから特殊モードに移行されるように設定され、平日の昼間の時間帯においては、１５分間だけ利用者がいない時間が続いたとき、標準モードから特殊モードに移行されるように設定される。
【００３９】
平日の昼間などの閑散時間帯に特殊モードが設定され、通常時（標準モードが設定されているとき）より付加価値の高いサービスが提供されるため、そのサービスを利用してみたいと考えるユーザを確実に確保することができる。すなわち、ユーザの数が少ない閑散時間帯の集客率を、より向上させることができる。
【００４０】
画像印刷装置１の処理についてはフローチャートを参照して後に詳述する。
【００４１】
図２は、画像印刷装置１の配置の例を示す斜視図である。
【００４２】
筐体１１の正面（面１１ａ，１１ｂ，１１ｃが設けられている面）と対向する位置には、処置の距離だけ離間して背面パネル３１が設けられている。ユーザは、画像印刷装置１を利用するとき、筐体１１と背面パネル３１の間の空間３２に入場する。また、筐体１１の上面と背面パネル３１の上面により支持されるように、天井部材３３が設けられている。
【００４３】
図２に示されるように、空間３２には、その内部が外部から覗かれるのを防止すべく、カーテン３４が筐体１１の側面と略同一平面上に設けられており、その上部には、天井部材３３に保持されるように、電光掲示板３５が取り付けられている。
【００４４】
電光掲示板３５には、例えば、上述した特殊モードが設定されているとき、それを画像印刷装置１の周囲にいる人に対して通知するための情報が表示される。例えば、図２の例においては、「サービスモード（特殊モード）中！いつもは使えないペンやスタンプが使えるよ！」のメッセージが電光掲示板３５に表示されている。
【００４５】
このように、空間３２の外部に向けて設置されている電光掲示板３５にサービスモード（特殊モード）が設定されていることを表す情報が出力されるため、周囲にいる人に、それを通知することができる。なお、電光掲示板３５が取り付けられる位置は、画像印刷装置１の配置に応じて、適宜、変更可能である。当然、複数の面に電光掲示板３５がそれぞれ設けられるようにしても良い。
【００４６】
図３は、図１の画像印刷装置１の内部の構成例を示すブロック図である。上述したものと同様の構成について、その詳細な説明は適宜省略する。
【００４７】
制御装置４１は、パーソナルコンピュータなどにより構成され、画像印刷装置１の全体の動作を制御する。具体的には、制御装置４１に設けられているＣＰＵ（Ｃｅｎｔｒａｌ　Ｐｒｏｃｅｓｓｉｎｇ　Ｕｎｉｔ）８１により、ＲＯＭ（Ｒｅａｄ　Ｏｎｌｙ　Ｍｅｍｏｒｙ）８２や記憶部８６（いずれも図４参照）に記憶されているプログラムが実行され、そのプログラムに従って、撮影処理や画像の編集処理が進行される。
【００４８】
硬貨処理部４２は、ユーザにより所定の代金が硬貨投入口１８に投入されたとき、それを検出し、制御装置４１に通知する。磁気カードリーダライタ４３は、制御装置４１からの制御に基づいて、サービスモードが設定されているときに画像印刷装置１を利用したユーザに対して、識別情報などが書き込まれた磁気カード４４を発行する。
【００４９】
また、磁気カードリーダライタ４３は、ユーザにより磁気カード４４が磁気カード排出／挿入口２０に挿入されたとき、書き込まれている情報を読み取り、それを制御装置４１に出力する。例えば、制御装置４１は、磁気カードリーダライタ４３から暗証番号が供給されてきたとき、磁気カードが挿入されているか否かを表すフラグにオン（挿入されている）を設定し、仮に、そのときに画像印刷装置１に設定されているモードが標準モードである場合であっても、サービスモードに移行し、サービスモードが設定されているときに利用が開始された場合と同様の機能をユーザに提供する。
【００５０】
照明制御部４５は、制御装置４１からの指示に基づいて、撮影装置１２が被写体を撮影するタイミングに併せてフラッシュ光を出射する。出射されたフラッシュ光は、図１のフラッシュ照射部１５−１および１５−２を介して被写体（ユーザ）を照射する。
【００５１】
プリンタユニット４６は、プリンタ部６１と制御タグリーダライタ６２により構成され、プリンタユニット４６に装着されるシール紙ユニット４７は、シール紙７１と、個々のシール紙ユニット４７を識別する識別情報等を管理する制御タグ７２により構成される。
【００５２】
プリンタ部６１は、編集処理が施された画像データが制御装置４１から供給されてきたとき、供給された画像データにより表される画像を、ユーザにより選択された分割数（印刷パターン）に従ってシール紙７１に印刷し、画像が印刷されたシール紙７１をシール取り出し口１９に排出する。
【００５３】
制御タグリーダライタ６２は、制御タグ７２に記憶されている識別情報を接触または非接触により読み出し、制御装置４１に出力する。制御装置４１は、制御タグリーダライタ６２から供給された識別情報に基づいて、装着されているシール紙ユニット４７が、画像印刷装置１において利用可能なユニットであるか否かを判定し、利用可能なユニットであると判定したときにのみ、プリンタ部６１を動作可能にする。すなわち、制御装置４１により、画像印刷装置１において利用可能とされるシール紙ユニットの識別情報が管理されている。
【００５４】
これにより、画像印刷装置１に対応していない（純正のものでない）シール紙が利用されるのを抑制することができる。また、制御タグ７２により、シール紙７１の残量等も管理される。なお、シール紙ユニット４７が純正のものであるか否かを、シール紙ユニット４７の表面にプリントされているバーコードなどにより確認させるようにしてもよい。
【００５５】
表示部１６にはタッチパネル４８が積層されている。タッチパネル４８は、入力ペン１７により入力されたユーザからの指示を制御装置４１に出力する。
【００５６】
図３は、図２の制御装置４１の構成例を示すブロックである。
【００５７】
ＣＰＵ８１は、ＲＯＭ８２に記憶されているプログラム、または、記憶部８６からＲＡＭ（Ｒａｎｄｏｍ　Ａｃｃｅｓｓ　Ｍｅｍｏｒｙ）８３にロードされたプログラムに従って各種の処理を実行する。ＲＡＭ８３にはまた、ＣＰＵ８１が各種の処理を実行する上において必要なデータなどが適宜記憶される。
【００５８】
ＣＰＵ８１、ＲＯＭ８２、およびＲＡＭ８３は、バス８４を介して相互に接続されている。このバス８４にはまた、入出力インタフェース８５も接続されている。
【００５９】
入出力インタフェース８５には、撮影装置１２、表示部１６、硬貨処理部４２、磁気カードリーダライタ４３、照明制御部４５、プリンタユニット４６、タッチパネル４８、および記憶部８６が接続されている。
【００６０】
記憶部８６には、ＣＰＵ８１により実行されるプログラムとともに、ＣＣＤ１３により撮影された画像のデータなどが適宜記憶される。
【００６１】
入出力インタフェース８５にはまた、必要に応じてドライブ８７が接続され、磁気ディスク９１、光ディスク９２、光磁気ディスク９３、或いは半導体メモリ９４が適宜装着され、それから読み出されたコンピュータプログラムが、必要に応じて記憶部８６にインストールされる。
【００６２】
次に、以上の構成を有する画像印刷装置１により行われる各種の処理について、フローチャートを参照して説明する。
【００６３】
始めに、図５のフローチャートを参照して、標準モードから特殊モード（以下、適宜、サービスモードと称する）に移行するまでの時間（利用者がいない時間が続いたときに、特殊モードが設定されるまでの時間）を設定する画像印刷装置１の処理について説明する。
【００６４】
この処理は、例えば、ゲームセンタの店員などの、画像印刷装置１の管理者により所定のコマンドが入力されたときに実行される。
【００６５】
標準モードからサービスモードに移行するまでの時間を設定することが指示されたとき、ステップＳ１において、ＣＰＵ８１は、時間の設定プログラムを実行し、設定画面を表示部１６に表示させる。
【００６６】
図６は、設定画面の表示例を示す図である。
【００６７】
図６に示されるように、例えば、２時間などの所定の時間毎に、サービスモードに移行するまでの時間を設定することができ、管理者は、自分自身が管理する画像印刷装置１の利用状況に応じて、各時間毎に、標準モードからサービスモードに移行するまでの時間を入力する。
【００６８】
この入力に基づいて、ＣＰＵ８１は、ステップＳ２において、サービスモードに移行するまでの時間を設定する。
【００６９】
例えば、図６の例においては、左上から、午前１０時から午後１２時までの間、午後１２時から午後１４時までの間、および、午後１４時から午後１６時までの間は、サービスモードに移行するまでの時間として「短縮」が設定されており、最後に利用されてからサービスモードに移行するまでの標準の時間である「３０分」より、短い時間（例えば、１５分）が設定されている。従って、「短縮」が設定されている時間帯においては、例えば、１５分間、利用者がいないとき、標準モードからサービスモードに画像印刷装置１のモードが移行される。
【００７０】
また、午後１６時から午後１８時までの間、午後１８時から午後２０時までの間、午後２０時から午後２２時までの間、および、午後２２時から午後２４時（午前１２時）までの間は、サービスモードに移行するまでの時間として「標準」が設定されており、この時間帯においては、例えば、標準モードからサービスモードに移行するまでの時間が「３０分」とされる。
【００７１】
さらに、それ以降の午前０時から午前２時までの間、午前２時から午前４時までの間、午前４時から午前６時までの間、午前６時から午前８時までの間、および、午前８時から午前１０時までの間も、サービスモードに移行するまでの時間として「短縮」が設定されており、「標準」が設定されている時間帯と較べて、より短い時間だけ利用者がいないとき、標準モードからサービスモードに移行するように設定される。
【００７２】
時間帯と、その時間帯における、最後に利用されてからサービスモードに移行するまでの時間の対応を表す情報は、例えば、記憶部８６に保存される。
【００７３】
このように、例えば、昼間の時間帯、或いは、深夜の時間帯などの閑散時間帯には、より短い時間で、標準モードからサービスモードに移行されるように、管理者により設定される。
【００７４】
次に、図７のフローチャートを参照して、画像印刷装置１を利用する顧客（ユーザ）に応対する、画像印刷装置１の処理について説明する。
【００７５】
ステップＳ１１において、ＣＰＵ８１は、ユーザに、画像印刷装置１の機能などを案内するデモ画面を表示部１６に表示させる。例えば、デモ画面が表示されることに併せて、装置の前方にいる人に対して、利用を促す音声や音楽なども、図示せぬスピーカから出力される。
【００７６】
このデモ画面は、画像印刷装置１を利用する人が現れるまで（代金が投入されるまで）続けて表示される。
【００７７】
ステップＳ１２において、ＣＰＵ８１は、そのときの時刻に基づいて、サービスモードに移行するまでの時間を読み出し、デモ画面が表示されてからの時間（最後に利用されてからの時間）が、設定されている、サービスモードに移行するまでの時間を経過したか否かを判定する。
【００７８】
例えば、図６に示されるような設定が記憶されている場合、そのときの時刻が、午前１０時から午前１２時までの時刻であるときには、ＣＰＵ８１は、デモ画面が表示されてから１５分（「短縮」に対応する時間）が経過したか否かを判定する。また、そのときの時刻が、午後１６時から午後１８時までの時刻である場合、ＣＰＵ８１は、デモ画面が表示されてから３０分（「標準」に対応する時間）が経過したか否かを判定する。
【００７９】
ＣＰＵ８１は、ステップＳ１２において、デモ画面が表示されてからの時間が、サービスモードに移行するまでの時間として設定されている時間を経過したと判定した場合、ステップＳ１３に進み、サービスモードフラグをオンに設定する。これにより、画像印刷装置１の状態として、サービスモードが設定された状態となる。
【００８０】
一方、ステップＳ１２において、デモ画面が表示されてからの時間が、サービスモードに移行するまでの時間として設定されている時間を経過していないと判定された場合、ステップＳ１３乃至Ｓ１５の処理はスキップされる。すなわち、標準モードが設定された状態で、ステップＳ１６以降の処理が実行される。
【００８１】
ステップＳ１４において、ＣＰＵ８１は、サービスモードが設定されていることを示す画面を表示部１６に表示させる。
【００８２】
図８は、画像印刷装置１の近傍にいる人に対して、サービスモードが設定されていることを確認させる画面の表示例を示す図である。
【００８３】
図８に示されるように、例えば、キャラクタ１１１が、表示部１６のほぼ中央に表示され、その吹き出し１２１に「サービスモード中だよ！」のメッセージが表示される。また、図８の例においては、「サービスモード中は、秘密のペンやスタンプが使えるよ！」のメッセージが吹き出し１２２に表示され、「秘密のペンやスタンプをいつでも使えるカードをプレゼント！」のメッセージが吹き出し１２３に表示され、「落書き時間が増えちゃう！」のメッセージが吹き出し１２４に表示され、「便利な裏技も教えるよ！」のメッセージが吹き出し１２５に表示されている。
【００８４】
この表示を確認することで、画像印刷装置１の前方にいる人は、標準モードが設定されているときには利用できないペンツールやスタンプツール（編集機能）を、画像の編集の際に利用できることを、吹き出し１２２に表示されているメッセージに基づいて知ることができ、次の画像印刷装置１の利用の際に、そのとき設定されているモードが標準モードである場合であっても、サービスモードが設定されているときと同様の機能を利用できるようになる磁気カードがもらえることを吹き出し１２３に表示されているメッセージに基づいて知ることができる。
【００８５】
また、画像印刷装置１の近傍にいる人は、図８の表示を確認することにより、標準モードが設定されているときの時間より、長い時間、画像の編集（落書き）を行うことができることができることを吹き出し１２４に表示されているメッセージに基づいて知ることができ、さらに、画像印刷装置１を利用するときの裏技（公表されていない機能）を教えてもらえることを吹き出し１２５に表示されているメッセージに基づいて知ることができる。
【００８６】
図７の説明に戻り、ステップＳ１５において、ＣＰＵ８１は、電光掲示板３５（図２）を駆動させ、サービスモードが設定されていることを周囲の人に確認させる。ステップＳ１５において、電光掲示板３５には、例えば、図２に示されるように「サービスモード中！いつもは使えないペンやスタンプが使えるよ！」などの、図８の各吹き出しに示されているメッセージが出力される。
【００８７】
また、図示せぬスピーカからも、サービスモードが設定されていることを通知する音声や音楽が出力される。
【００８８】
ステップＳ１６において、ＣＰＵ８１は、硬貨処理部４２からの出力に基づいて、代金が投入されたか否か、すなわち、画像印刷装置１を利用するユーザがいるか否かを判定し、代金が投入されたと判定するまで待機する。
【００８９】
ＣＰＵ８１は、ステップＳ１６において、代金が投入されていないと判定した場合、ステップＳ１１に戻り、それ以降の処理を繰り返し実行し、一方、代金が投入されたと判定した場合、ステップＳ１７に進み、ユーザに対して、磁気カードの挿入を促す画面を表示させる。
【００９０】
後に詳述するように、サービスモードが設定されているときに画像印刷装置１を利用したユーザに対しては、その利用後、磁気カードが発行される。この磁気カードは、次に画像印刷装置１を利用するとき、それを画像印刷装置１に挿入することで、設定されているモードが標準モードである場合であっても、サービスモードが設定されている場合と同様の機能を利用できるものである。
【００９１】
例えば、磁気カードには、識別情報や、画像印刷装置１の利用日時、或いは、編集ツールなどの、利用した機能に関する情報などが記憶される。
【００９２】
図９は、ステップＳ１７において表示される、磁気カードの挿入を促す画面の表示例を示す図である。
【００９３】
例えば、キャラクタ１１１の吹き出し１４１に、「磁気カードもってる？」のメッセージが表示される。このメッセージを確認したユーザは、磁気カードを持っているとき（以前、サービスモードが設定されているときに画像印刷装置１を利用し、磁気カードの発行を受けたとき）、その磁気カードを磁気カード排出／挿入口２０に挿入し、表示部１６の中央左に表示されているボタン１４２を入力ペン１７により押下する。また、ユーザは、磁気カードを持っていないとき、表示部１６の中央右に表示されているボタン１４３を押下する。
【００９４】
ＣＰＵ８１は、ステップＳ１８において、磁気カードが挿入されたか否かを判定し、挿入されたと判定した場合、ステップＳ１９に進み、磁気カード挿入フラグをオンに設定する。後述するように、磁気カード挿入フラグにオンが設定されている場合、仮に、サービスモードフラグにオンが設定されていない場合であっても、磁気カードを挿入したユーザに対してのみ、サービスモードが設定されている場合と同様の機能を利用することができる（サービスモードが設定される）。
【００９５】
なお、磁気カードを挿入させるのではなく、前回の画像印刷装置１の利用の際に通知された所定の桁数の数字やアルファベットからなる識別情報を入力させるようにしてもよい。
【００９６】
一方、ステップＳ１８において、磁気カードが挿入されていないと判定された場合、ステップＳ１９の処理はスキップされる。
【００９７】
ステップＳ２０において、ＣＰＵ８１は、撮影処理を実行する。すなわち、ＣＰＵ８１は、撮影装置１２を制御し、予め設定されている回数だけ、被写体としてのユーザを撮影する。
【００９８】
例えば、所定の回数だけ撮影が繰り返されたとき、撮影処理は終了される。ステップＳ２０において実行される撮影処理については、図１０のフローチャートを参照して後に詳述する。
【００９９】
ＣＰＵ８１は、ステップＳ２１において、ユーザからの入力に基づいて、撮影した画像を編集する編集処理を実行する。例えば、サービスモードフラグにオンが設定されている場合、または、磁気カード挿入フラグにオンが設定されている場合、標準モードが設定されている場合（サービスモードフラグにオフ、および、磁気カード挿入フラグにオフが設定されている場合）と較べて、より多くの機能が利用できるようにされる。
【０１００】
ステップＳ２１において実行される編集処理については、図１１のフローチャートを参照して後に詳述する。
【０１０１】
ＣＰＵ８１は、ステップＳ２２において、磁気カード発行処理を実行する。上述したように、サービスモード時に画像印刷装置１を利用したユーザに対しては、磁気カードが発行される。ステップＳ２２において実行されるカード発行処理については、図１４のフローチャートを参照して後に詳述する。
【０１０２】
ＣＰＵ８１は、ステップＳ２３において、ステップＳ２１の編集処理により編集された画像のデータをプリンタユニット４６のプリンタ部６１に転送し、編集が施された画像をシール紙７１に印刷させる。
【０１０３】
この印刷処理においても、標準モードが設定されている場合と、サービスモードが設定されている場合、または、磁気カードが挿入された場合とでは、提供されるサービスが異なるものとされ、例えば、サービスモードフラグにオンが設定されている場合、標準モードが設定されている場合には提供されないシール紙がサービスとして提供される。
【０１０４】
印刷処理が終了されたとき、プリンタ部６１により画像（編集済みの画像）が印刷されたシール紙７１がシール取り出し口１９に排出されるため、ユーザは、それを受け取り、画像印刷装置１の利用を終了する。
【０１０５】
ステップＳ２３において実行される印刷処理については、図１５のフローチャートを参照して後に詳述する。
【０１０６】
次に、図１０のフローチャートを参照して、図７のステップＳ２０において実行される撮影処理の詳細について説明する。
【０１０７】
ステップＳ３１において、ＣＰＵ８１は、撮影画面を表示部１６に表示させる。この撮影画面には、ＣＣＤ１３により取り込まれている動画像の他、撮影を開始するとき操作される撮影開始ボタンなどが表示される。なお、撮影装置１２の画像表示部１４にも、ＣＣＤ１３により取り込まれている動画像（リアルタイム画像）が表示される。
【０１０８】
ステップＳ３２において、ＣＰＵ８１は、撮影を開始するか否かを判定し、撮影を開始しないと判定した場合、ステップＳ３１に戻り、それ以降の処理を繰り返し実行する。
【０１０９】
一方、撮影画面に表示されている開始ボタンが押下されたことがタッチパネル４８から通知されてきた場合、或いは、設定されている制限時間が経過した場合、ＣＰＵ８１は、ステップＳ３２において、撮影を開始すると判定し、ステップＳ３３に進み、撮影を開始する。
【０１１０】
例えば、撮影するまで（画像を保存するまで）のカウントダウンが「５，４，３，２，１，０」などのようにスピーカからの音声や表示部１６の表示により出力され、カウントダウンが「０」になったとき、ＣＣＤ１３により取り込まれている画像が記憶部８６に保存される。
【０１１１】
ＣＰＵ８１は、ステップＳ３４において、撮影を終了するか否かを判定し、撮影を終了しないと判定した場合、ステップＳ３１に戻り、以上の処理を繰り返し実行する。
【０１１２】
例えば、撮影回数が予め設定されており、既に、設定されている回数だけ撮影を行ったため、撮影回数が残っていない場合、または、撮影処理を終了することがユーザにより指示された場合、ＣＰＵ８１は、ステップＳ３４おいて、撮影を終了すると判定し、撮影を終了させる。その後、図７のステップＳ２１以降の処理が実行される。
【０１１３】
次に、図１１のフローチャートを参照して、図７のステップＳ２１において実行される編集処理の詳細について説明する。
【０１１４】
ステップＳ４１において、ＣＰＵ８１は、サービスモードフラグの設定を確認し、ステップＳ４２に進み、サービスモードフラグにオンが設定されているか否かを判定する。すなわち、所定の時間続けて利用者がいないため、サービスモードに移行している場合、図７のステップＳ１３の処理により、サービスモードフラグにオンが設定されている。
【０１１５】
ＣＰＵ８１は、ステップＳ４２において、サービスモードフラグにオンが設定されていると判定した場合、ステップＳ４３およびＳ４４の処理をスキップし、ステップＳ４６に進む。
【０１１６】
一方、ステップＳ４２において、ＣＰＵ８１は、サービスモードフラグにオンが設定されていない（オフが設定されている）と判定した場合、ステップＳ４３に進み、カード挿入フラグの設定を確認する。ＣＰＵ８１は、ステップＳ４４において、カード挿入フラグが設定されているか否かを、ステップＳ４３における確認の結果に基づいて判定し、カード挿入フラグにオンが設定されていないと判定した場合、ステップＳ４５に進み、通常の編集画面（標準モードが設定されている場合の編集画面）を表示部１６に表示させる。
【０１１７】
すなわち、ステップＳ４２において、サービスモードフラグがオフであるとして判定され、さらに、ステップＳ４４において、カード挿入フラグがオフであるとして判定された場合、標準モード時における利用であり、かつ、磁気カードが挿入されていない状態であるため、標準の機能（標準のものとして設定されている編集ツール）のみを利用できる標準の編集画面が表示部１６に表示される。
【０１１８】
図１２は、ステップＳ４５において表示される編集画面の表示例を示す図である。
【０１１９】
図１２の例においては、画面の上部に「編集中！」のメッセージが表示され、その下の編集対象画像表示領域１５１に、ユーザにより選択された編集対象の画像が拡大して表示される。例えば、撮影が終了されたとき、編集する画像の選択画面が表示部１６に表示され、その画面において、撮影した画像の中から編集対象の画像がユーザにより選択されている。
【０１２０】
編集対象画像表示領域１５１の下には、編集対象画像に施す編集の内容（編集ツール）を選択するときにユーザにより操作されるボタンが配列して表示されている。例えば、編集ツールとして、編集対象画像に重畳して好みの画像（スタンプ画像）を表示させるスタンプツール、入力ペン１７の軌跡に応じて線画像が表示され、好みの文字や絵を入力するとき利用されるペンツール、および、被写体の画像の背景として好みのテクスチャを入力するとき利用される背景ブラシツールが用意される。
【０１２１】
図１２の例においては、入力ペン１７を表示部１６（編集対象画像）に当接させている時間に応じて色が変化し、表示部１６から入力ペン１７を離したときに表示されている色のスタンプ画像を、編集対象画像に入力するスタンプツールを選択するとき操作されるオーロラスタンプボタン１５２、入力ペン１７を当接させた位置に、例えば、犬の頭部分の画像を配置し、入力ペン１７の軌跡に応じて、その胴体部分の画像を表示させるスタンプツールを選択するとき操作されるのびのびスタンプボタン１５３、入力ペン１７の軌跡に従って画像が入力されるスタンプツールを選択するとき操作されるラインスタンプボタン１５４が表示されている。
【０１２２】
また、スタンプ画像の一覧を表示するとき操作されるスタンプボタン１５５、入力ペン１７の軌跡に従って、順次、異なる色により表示される画像が入力されるスタンプツールを選択するとき操作される虹色スタンプボタン１５６、入力ペン１７を当接させている時間に応じてスタンプ画像が回転して表示されるスタンプツールを選択するとき操作されるふうせん回転スタンプボタン１５７が表示されている。
【０１２３】
さらに、表示部１６には、背景ブラシとして入力するテクスチャの一覧を表示させるとき操作される背景ブラシボタン１５８、および、ペンツールの一覧を表示させるとき操作されるペンツールボタン１５９が表示されている。
【０１２４】
また、図１２の例においては、オーロラスタンプボタン１５２乃至ペンボタン１５９のうち、ペンボタン１５９が入力ペン１７により操作された状態とされており、ペンメニュー１６０が、編集対象画像の右側に表示されている。ペンメニュー１６０には、ペン画像１７１乃至１７６が表示されており、ユーザが、ペンメニュー１６０から好みのペン画像を選択し、入力ペン１７の先端を編集対象画像上に当接させた状態で移動させた場合、その軌跡に従って、選択したペン画像が連続して入力される。また、ユーザは、ツールバー１６１を上下に移動させることで、ペン画像１７１乃至１７６以外のペン画像をペンメニュー１６０に表示させることができる。
【０１２５】
また、編集画面には、編集を終了するとき操作される編集終了ボタン１８１が表示されている。
【０１２６】
図１２に示されるような編集画面が表示されている状態において、ＣＰＵ８１は、ステップＳ４７に進み、ユーザからの入力に基づいて、編集対象画像を編集する。例えば、ユーザが所定のスタンプツールを選択し、スタンプ画像を入力することを指示した場合、対応する画像が編集対象画像に重畳されて表示される。
【０１２７】
なお、図１２の編集対象画像の被写体の周囲に表示されている、円形の画像および星形の画像はユーザにより入力されたスタンプ画像であり、被写体であるユーザを取り囲むように表示されている線画像は、ペンツールにより入力された画像である。
【０１２８】
一方、ステップＳ４４でカード挿入フラグにオンが設定されていると判定された場合、または、ステップＳ４２にサービスモードフラグにオンが設定されていると判定された場合、ステップＳ４６において、図１３に示されるような、秘密編集ツールが用意されている編集画面が表示部１６に表示される。
【０１２９】
図１３に示される編集画面（サービスモードが設定されているとき、または、磁気カードが挿入されたときの編集画面）には、編集対象画像の左側に、秘密ペンを選択できる秘密ペンメニュー１９１が表示されている。
【０１３０】
秘密ペンメニュー１９１に用意される秘密ペン画像２０１乃至２０５は、ペンメニュー１６０に用意されているものと較べて、例えば、彩りがきれいであるものや、複雑な模様が含まれているものとされ、差別化が図られている。
【０１３１】
ユーザは、ツールバー１９２を上下方向に移動させることで、秘密ペンメニュー１９１に表示される秘密ペン画像を、秘密ペン画像２０１乃至２０５以外のものに切り替えることができる。なお、編集画面の中央上方には、「サービスモードだよ！」のメッセージが表示されている。図１３に示される編集画面の、他の表示は、図１２に示される編集画面と同様のものである。
【０１３２】
このように、サービスモードが設定されているときに利用を開始した場合、または、磁気カードが挿入された場合には、ユーザは、標準モードが設定されている場合には利用することができない編集ツール（図１２の編集画面においては用意されていない編集ツール）を利用することができる。なお、この例においては、サービスモードが設定されているときに利用を開始した場合、または、磁気カードを挿入した場合にのみ利用できる機能として、特殊なペン画像が用意されるとしたが、これ以外にも、特殊なスタンプ画像や背景ブラシ画像が用意されたり、或いは、編集処理に対して設定されている制限時間が延長されるようにすることができる。
【０１３３】
なお、カード挿入フラグにオンが設定されているとき、挿入された磁気カードの識別情報が読み出され、その識別情報に対応付けて登録されている情報に基づいて、編集画面がカスタマイズ化されるようにしてもよい。後述するように、発行される磁気カードの識別情報に対応付けて、前回の画像印刷装置１の利用の際に、編集処理において利用された編集ツールに関する情報が登録されているため、例えば、前回利用された編集ツールのみが表示されるメニューが用意され、そこから、編集ツールを容易に選択できるようにしてもよい。
【０１３４】
図１３に示される編集画面が表示されている状態において、ＣＰＵ８１は、ステップＳ４７に進み、ユーザからの入力に基づいて、編集対象画像を編集する。例えば、ユーザが秘密ペン画像を選択し、秘密ペン画像を入力することを指示した場合、入力ペン１７の先端の軌跡に従って、対応する画像が編集対象画像に重畳されて表示される。
【０１３５】
ＣＰＵ８１は、ステップＳ４８において、画像の編集を終了するか否かを判定し、例えば、編集終了ボタン１８１が操作されていないため、編集を終了しないと判定した場合、ステップＳ４７に戻り、以上の処理を繰り返し実行する。一方、編集終了ボタン１８１が操作された場合、または、予め設定されている制限時間（標準モード時以外においては延長された制限時間）が経過した場合、ＣＰＵ８１は、ステップＳ４８において、編集を終了すると判定し、編集を終了させる。
【０１３６】
その後、処理は図７のステップＳ２２に進み、磁気カード発行処理が行われる。
【０１３７】
次に、図１４のフローチャートを参照して、図７のステップＳ２２において実行される磁気カード発行処理の詳細について説明する。
【０１３８】
ＣＰＵ８１は、ステップＳ５１において、サービスモードフラグの設定を確認し、ステップＳ５２に進み、その設定が、オンであるか否かを判定する。ＣＰＵ８１は、ステップＳ５２において、サービスモードフラグの設定がオンでないと判定した場合、すなわち、標準モードが設定されているときに利用されていると判定した場合、処理は終了される。従って、磁気カードは発行されない。
【０１３９】
一方、ステップＳ５２において、ＣＰＵ８１は、サービスモードフラグにオンが設定されていると判定した場合、ステップＳ５３に進み、磁気カードを発行する。発行された磁気カードは、磁気カード排出／挿入口２０から排出され、ユーザにより取得される。
【０１４０】
発行された磁気カードには、それぞれ識別情報（ＩＤ）が設定されており、ＣＰＵ８１は、ステップＳ５４において、発行した磁気カードの識別情報に対応付けて、例えば、編集処理においてユーザにより利用された編集ツールに関する情報を登録する。磁気カードが挿入された場合、磁気カードリーダライタ４３により識別情報が読み取られ、識別情報に対応して登録されている情報が読み出される。そして、識別情報に対応して登録されている情報に基づいて、例えば、上述したようにして編集画面がカスタマイズ化される。
【０１４１】
識別情報に対応付けて所定の情報が登録された後、処理は図７のステップＳ２３に進む。
【０１４２】
次に、図１５のフローチャートを参照して、図７のステップＳ２３において実行される印刷処理の詳細について説明する。
【０１４３】
ステップＳ６１において、ＣＰＵ８１は、カード挿入フラグの設定を確認し、ステップＳ６２に進み、カード挿入フラグにオンが設定されているか否かを判定する。
【０１４４】
ＣＰＵ８１は、ステップＳ６２において、カード挿入フラグにオンが設定されていると判定した場合、ステップＳ６３に進み、当選か否かをランダムに選択する抽選を実行する。
【０１４５】
この例においては、磁気カードが挿入されたときにのみ、抽選が行われ、その結果が当選であるときにのみ、通常の、ユーザにより編集された画像が印刷されるシール紙とともに、サービス画像が印刷されたシール紙が提供されるようになされている。当然、サービスモードが設定されているときに利用を開始したユーザに対して、抽選が行われるようにしてもよいし、抽選を行うことなく、サービスモード時に利用を開始したユーザ全員に、または磁気カードを挿入したユーザ全員に、サービス画像が印刷されたシール紙が提供されるようにしてもよい。
【０１４６】
ステップＳ６４において、ＣＰＵ８１は、抽選の結果、ユーザが当選したか否かを判定し、当選したと判定した場合、ステップＳ６５に進み、サービス画像が印刷されたシール紙をユーザに提供する。サービス画像が印刷されたシール紙は、シール取り出し口１９から排出される。
【０１４７】
図１６は、サービス画像が印刷されたシール紙７１Ａの例を示す図である。
【０１４８】
図１６に示されるように、例えば、シール紙７１Ａ全体に、ユーザにより撮影され、編集が施された画像が拡大して印刷されたシール紙が提供される。サービス画像としてシール紙に印刷される画像は、図１６に示されるように、被写体としてのユーザ自身が印刷された画像としてもよいし、例えば、有名人の画像としてもよい。また、サービス画像として印刷される画像をユーザが選択できるようにしてもよい。さらに、標準モード時には選択できない分割数で画像が印刷されたシール紙が提供されるようにしてもよい。
【０１４９】
以上のようなサービス画像が印刷されたシール紙が提供された後、ステップＳ６６において、ＣＰＵ８１は、編集後の画像が印刷されたシール紙（標準モード時においても提供されるシール紙）を提供する。
【０１５０】
すなわち、図１１の編集処理において編集された画像のデータがプリンタ部６１に転送され、ユーザにより選択された分割数（印刷パターン）に従って、編集された画像がシール紙７１の所定の位置に印刷される。プリンタ部６１により画像（編集済みの画像）が印刷されたシール紙７１がシール取り出し口１９に排出されるため、ユーザは、それを受け取り、画像印刷装置１の利用を終了する。
【０１５１】
図１７は、画像印刷装置１により印刷され、シール取り出し口１９に排出されるシール紙７１Ｂの例を示す図である。
【０１５２】
図１７に示されるように、シール紙７１Ｂには、ユーザにより設定された分割数（例えば、４分割）に従って、文字や図形などの編集（落書き）が施された画像が印刷される。なお、印刷されているそれぞれの画像において、被写体の画像（人物の画像）の周辺に、或いは、被写体の画像に一部重畳して示されている「コノヤロ」、「スゴイ」の文字、およびハート形や星形のスタンプ画像はユーザにより入力された編集画像である。このように、ユーザは、好みの文字や画像を、撮影された画像に対して施すことができる。
【０１５３】
図１５の説明に戻り、ステップＳ６２において、カード挿入フラグがオンに設定されていないと判定された場合、または、ステップＳ６４において、当選していないと判定された場合、ステップＳ６６に進み、図１７に示されるものと同様の、ユーザにより撮影され、編集が施された画像が印刷されたシール紙がユーザに提供される。
【０１５４】
以上のように、標準モードが設定されているときに利用した場合と、サービスモードが設定されているときに利用した場合とで、利用可能な機能に差別化を図ることで、サービスモードが設定されていることを知ったユーザの利用意欲をかき立てることができる。また、閑散時間帯において、サービスモードがより多い時間設定されるようにすることで、その時間帯の集客率を向上させることができる。
【０１５５】
また、それを利用することで、モードの設定に関わらず、サービスモードが設定されているときにのみ利用できる機能が利用可能とされる磁気カードが発行されることで、リピータの確保が可能となる。
【０１５６】
以上においては、標準モードが設定されている場合と、サービスモードが設定されている場合および磁気カードが挿入された場合とでは、利用可能な機能が異なるとしたが、例えば、サービスモードが設定されている場合および磁気カードが挿入された場合の方が、標準モードが設定されている場合と較べて、料金が割引になるなどの差別化が図られるようにしてもよい。
【０１５７】
また、利用されない時間が続いたときに標準モードから特殊モードに設定が移行されるのではなく、様々な条件をトリガとして設定が移行されるようにしてもよい。例えば、所定の時間帯には、特殊モードが常時設定されるようにすることができる。
【０１５８】
【発明の効果】
本発明によれば、画像が印刷されたシール紙を提供することができる。
【０１５９】
また、本発明によれば、集客率を向上させることができる。
【０１６０】
さらに、本発明によれば、リピータの確保が可能となる。
【図面の簡単な説明】
【図１】本発明を適用した画像印刷装置の外観の例を示す斜視図である。
【図２】図１の画像印刷装置の配置の例を示す斜視図である。
【図３】図１の画像印刷装置の構成例を示すブロック図である。
【図４】図３の制御装置の構成例を示すブロック図である。
【図５】図１の画像印刷装置の時間設定処理を説明するフローチャートである。
【図６】図５のステップＳ１において表示される画面の例を示す図である。
【図７】図１の画像印刷装置の顧客応対処理を説明するフローチャートである。
【図８】図７のステップＳ１４において表示される画面の表示例を示す図である。
【図９】図７のステップＳ１７において表示される画面の表示例を示す図である。
【図１０】図７のステップＳ２０において実行される撮影処理の詳細を説明するフローチャートである。
【図１１】図７のステップＳ２１において実行される編集処理の詳細を説明するフローチャートである。
【図１２】図１１のステップＳ４５において表示される画面の例を示す図である。
【図１３】図１１のステップＳ４６において表示される画面の例を示す図である。
【図１４】図７のステップＳ２２において実行される磁気カード発行処理の詳細を説明するフローチャートである。
【図１５】図７のステップＳ２３において実行される印刷処理の詳細を説明するフローチャートである。
【図１６】シール紙の例を示す図である。
【図１７】シール紙の他の例を示す図である。
【符号の説明】
１　画像印刷装置
１３　ＣＣＤ
１６　表示部
１７−１および１７−２　入力ペン
３５　電光掲示板
４１　制御装置
４２　磁気カードリーダライタ
４３　磁気カード
４６　プリンタユニット
４７　シール紙ユニット
６１　プリンタ部
６２　制御タグリーダライタ
７１　シール紙
７２　制御タグ
【図１】
2004023213.tif 000003
【図２】
2004023213.tif 000004
【図３】
2004023213.tif 000005
【図４】
2004023213.tif 000006
【図５】
2004023213.tif 000007
【図６】
2004023213.tif 000008
【図７】
2004023213.tif 000009
【図８】
2004023213.tif 000010
【図９】
2004023213.tif 000011
【図１０】
2004023213.tif 000012
【図１１】
2004023213.tif 000013
【図１２】
2004023213.tif 000014
【図１３】
2004023213.tif 000015
【図１４】
2004023213.tif 000016
【図１５】
2004023213.tif 000017
【図１６】
2004023213.tif 000018
【図１７】
2004023213.tif 000019